(57)【要約】【課題】蛍光部材によって正反射された励起光の戻り光による光ファイバの損傷を確実に防止することができ、安定した光出力を長期間の間にわたって安定して得ることのできる蛍光光源装置を提供すること。【解決手段】この蛍光光源装置は、各々励起光を放射するレーザ光源を具えた複数の励起光源と、各々の励起光源からの励起光を導光する複数の光ファイバと、各々の光ファイバから出射される励起光を集光して照射する集光光学系と、励起光が照射されることにより蛍光を発する蛍光部材と、蛍光部材から発せられる蛍光を反射する凹面反射鏡とを具備し、蛍光部材が凹面反射鏡の光軸上に配置されてなり、凹面反射鏡の光軸方向から見たとき、複数の光ファイバの各々の光出射端面が、他の光ファイバの光出射端面の、凹面反射鏡の光軸に対する軸対称位置以外の位置に配置された構成とされている。【選択図】図３
2016092042.tif 000002
【特許請求の範囲】
【請求項１】
各々励起光を放射するレーザ光源を具えた複数の励起光源と、各々の励起光源からの励起光を導光する複数の光ファイバと、各々の光ファイバから出射される励起光を集光して照射する集光光学系と、前記励起光が照射されることにより蛍光を発する蛍光部材と、当該蛍光部材から発せられる蛍光を反射する凹面反射鏡とを具備し、前記蛍光部材が前記凹面反射鏡の光軸上に配置されてなる蛍光光源装置において、
前記凹面反射鏡の光軸方向から見たとき、前記複数の光ファイバの各々の光出射端面が、他の光ファイバの光出射端面の、当該凹面反射鏡の光軸に対する軸対称位置以外の位置に配置されていることを特徴とする蛍光光源装置。
【請求項２】
前記複数の光ファイバの各々の光出射端面が、他の光ファイバから出射される励起光の蛍光部材による正反射光が到達しない領域に、配置されていることを特徴とする請求項１に記載の蛍光光源装置。
【発明の詳細な説明】
【技術分野】
【０００１】
本発明は、レーザ光を用いて蛍光を発生させる蛍光光源装置に関する。
【背景技術】
【０００２】
現在、例えば照明用の光源として蛍光光源装置を利用する技術が知られている。蛍光光源装置は、例えば半導体レーザなどの固体光源の光によって蛍光体を励起させて当該蛍光体から発せられる光を出射するものである。
このような蛍光光源装置においては、光出力を大きくして明るく照明することが要求されるようになってきており、このような要求に対して、例えば複数の半導体レーザの光を集めて蛍光部材に照射することが行われている。
【０００３】
例えば特許文献１には、レーザ光により蛍光体を励起することにより得られる可視光を照明光として利用する照明装置において、複数の半導体レーザ素子の各々からのレーザ光を、当該半導体レーザ素子の各々に対応する複数のファイバ素線の光出射端がバンドルされた光ファイバによって導光して、光ファイバから出射されるレーザ光を蛍光体に集中照射する構成とされることが記載されている。
【先行技術文献】
【特許文献】
【０００４】
【特許文献１】特開２０１２−０８４２７６号公報
【発明の概要】
【発明が解決しようとする課題】
【０００５】
一般に、光ファイバはクラッドの周囲に樹脂による保護層が設けられた構成になるため、半導体レーザの短い波長の光、即ち励起光が保護層に照射されると、光ファイバ自体が破損してしまうことが知られている。
上記構成の蛍光光源装置においては、光照射面である蛍光部材の表面に照射される励起光のうち、波長変換されない蛍光部材の表面によって正反射される光が戻り光（以下、「正反射戻り光」ともいう。）となる。そして、正反射戻り光が、光ファイバの光出射端面に照射されることとなるため、光ファイバ自体が損傷して光ファイバの出力効率の低下を引き起こす、といった問題があった。
【０００６】
本発明は、以上のような事情に基づいてなされたものであって、励起光の蛍光部材による正反射戻り光によって光ファイバが損傷することを確実に防止することができ、安定した光出力を長期間の間にわたって安定して得ることのできる蛍光光源装置を提供することを目的とする。
【課題を解決するための手段】
【０００７】
本発明の蛍光光源装置は、各々励起光を放射するレーザ光源を具えた複数の励起光源と、各々の励起光源からの励起光を導光する複数の光ファイバと、各々の光ファイバから出射される励起光を集光して照射する集光光学系と、前記励起光が照射されることにより蛍光を発する蛍光部材と、当該蛍光部材から発せられる蛍光を反射する凹面反射鏡とを具備し、前記蛍光部材が前記凹面反射鏡の光軸上に配置されてなる蛍光光源装置において、
前記凹面反射鏡の光軸方向から見たとき、前記複数の光ファイバの各々の光出射端面が、他の光ファイバの光出射端面の、当該凹面反射鏡の光軸に対する軸対称位置以外の位置に配置されていることを特徴とする。
【０００８】
本発明の蛍光光源装置においては、前記複数の光ファイバの各々の光出射端面を、他の光ファイバから出射される励起光の蛍光部材による正反射光が到達しない領域に、配置した構成とすることが好ましい。
【発明の効果】
【０００９】
本発明の蛍光光源装置によれば、基本的には、複数の励起光源の各々からの励起光が光ファイバによって導光されて蛍光部材に集中して照射されることにより、蛍光部材を効率よく励起させて発光させることができる。しかも、励起光の蛍光部材による正反射戻り光によって光ファイバが損傷することを確実に防止することができるので、励起光の出力が低下することを回避することができる。これにより、安定した光出力を長期間の間にわたって安定して得ることができる。
【図面の簡単な説明】
【００１０】
【図１】本発明の蛍光光源装置の一例における構成の概略を示す、凹面反射鏡の光軸に沿った部分断面図である。
【図２】図１に示す蛍光光源装置における複数の光ファイバの各々の光出射端面の配置状態を示す説明図である。
【図３】図１に示す蛍光光源装置の一部を示す部分拡大図である。
【図４Ａ】比較用の蛍光光源装置の一例における構成の概略を示す、凹面反射鏡の光軸に沿った部分断面図である。
【図４Ｂ】図４Ａに示す蛍光光源装置における、複数の光ファイバの各々の光出射端面の配置状態を示す説明図である。
【図５Ａ】図４Ａおよび図４Ｂに示す蛍光光源装置における、一の光ファイバに係るコリメータレンズに対して入射される、他の光ファイバの励起光の正反射戻り光の光束を概略的に示す観念図である。
【図５Ｂ】図１に示す蛍光光源装置における、一の光ファイバに係るコリメータレンズに対して入射される、他の光ファイバの励起光の正反射戻り光の光束を概略的に示す観念図である。
【図６】本発明の蛍光光源装置の他の例における複数の光ファイバの各々の光出射端面の配置状態を示す説明図である。
【図７】本発明の蛍光光源装置のさらに他の例における複数の光ファイバの各々の光出射端面の配置状態を示す説明図である。
【発明を実施するための形態】
【００１１】
以下、本発明の実施の形態について詳細に説明する。
図１は、本発明の蛍光光源装置の一例における構成の概略を示す、凹面反射鏡の光軸に沿った部分断面図である。図２は、図１に示す蛍光光源装置における複数の光ファイバの各々の光出射端面の配置状態を示す説明図である。図３は、図１に示す蛍光光源装置の一部を示す部分拡大図である。
この蛍光光源装置は、励起光が照射されることにより蛍光を発する蛍光部材３０を具えており、当該蛍光部材３０から発せられる蛍光を反射する凹面反射鏡２５が、その光軸ＯM 上に蛍光部材３０が位置される状態で、反射面が蛍光部材３０の励起光受光面に対向して配置されている。
【００１２】
蛍光部材３０は、例えばセリウム付活のＹＡＧ蛍光体（発光波長：５３０ｎｍ）よりなる蛍光板により構成されており、図示しない保持部材によって保持されている。
【００１３】
凹面反射鏡２５は、例えば放物面鏡よりなり、焦点が蛍光部材３０の励起光入射面上に位置された状態で配置されている。
凹面反射鏡２５は、例えばテンパックス（登録商標）などのホウケイ酸ガラスなどよりなる基材の凹面に、反射膜（図示せず）を形成した構成であり、後述する複数の励起光源１０の各々からの励起光を透過する励起光透過部２６を有する。
反射膜は、例えば、五酸化タンタル（Ｔａ2 Ｏ5 ）層および酸化シリコン（ＳｉＯ2 ）層等を交互に積層されてなる多層膜により構成されている。
【００１４】
この蛍光光源装置は、複数例えば６個の励起光源１０を具えている。各々の励起光源１０は、ＬＤ素子１２と、ＬＤ素子１２の光放射方向前方側の位置に配置された結合レンズ１３とにより構成されたレーザ光源１１を具えている。ここに、各々の励起光源１０におけるＬＤ素子１２は、例えば、互いに同一の発振波長のレーザ光を出射する半導体レーザよりなり、具体的には例えば、発振波長が４５０ｎｍ位の青色レーザ光を放射するものが用いられる。
【００１５】
各々の励起光源１０からの励起光はＬＤ用の光ファイバ１５Ａ〜１５Ｆにより導光され、各々の光ファイバ１５Ａ〜１５Ｆの光出射端面ＦA 〜ＦF より出射された励起光は、集光光学系２０によって集光されながら、凹面反射鏡２５における励起光透過部２６を介して蛍光部材３０に照射される。
光ファイバ１５Ａ〜１５Ｆの光出射端面ＦA 〜ＦF は、例えば、凹面反射鏡２５の光軸ＯM に垂直な同一平面内に配置されている。
【００１６】
集光光学系２０は、例えば、光ファイバ１５Ａ〜１５Ｆの光出射端面ＦA 〜ＦF から出射された励起光を平行光化する、複数の光ファイバ１５Ａ〜１５Ｆの各々に対応する複数のコリメータレンズ２１と、各々のコリメータレンズ２１からの励起光を集光する、複数の光ファイバ１５Ａ〜１５Ｆの各々に共通の集光レンズ２２とにより構成されている。集光レンズ２２は、例えば球面レンズあるいは非球面レンズにより構成されており、凹面反射鏡２５の背面側に配置されている。具体的には、集光レンズ２２の光軸ＯL が凹面反射鏡２５の光軸ＯM と一致すると共に、集光レンズ２２の焦点位置が凹面反射鏡２５の焦点位置と一致するように、集光レンズ２２が配置されている。
【００１７】
而して、上記の蛍光光源装置においては、凹面反射鏡２５の光軸ＯM 方向から見たとき、複数の光ファイバ１５Ａ〜１５Ｆの各々の光出射端面ＦA 〜ＦF が、他の光ファイバの光出射端面の、凹面反射鏡２５の光軸ＯM に対する軸対称位置以外の位置に配置されている。すなわち、各々の光ファイバ１５Ａ〜１５Ｆの光出射端面ＦA 〜ＦF が、凹面反射鏡２５の光軸ＯM に対して回転対称に近い位置で励起光を入射させることによって均等な照射条件を確保しながら、各励起光が空間的に干渉しない程度に離間して位置されている。
具体的には、図２に示すように、各々凹面反射鏡２５の光軸ＯM を中心とする２つの仮想円ＶC1 ，ＶC2 の各々の円周上に、それぞれ３つの光ファイバの光出射端面が位置されており、凹面反射鏡２５の光軸ＯM を中心として等角度間隔に離間した位置において、仮想円ＶC1 の円周上に位置される３つの光ファイバ１５Ａ，１５Ｃ，１５Ｅの光出射端面ＦA ，ＦC ，ＦE と、仮想円ＶC2 の円周上に位置される３つの光ファイバ１５Ｂ，１５Ｄ，１５Ｆの光出射端面ＦB ，ＦD ，ＦFとが、周方向に交互に並ぶよう配置されている。
尚、図２においては、各光ファイバ１５Ａ〜１５Ｆの光出射端面ＦA 〜ＦF の凹面反射鏡２５の光軸ＯM に対する軸対称位置をＦa 〜Ｆf として二点鎖線で示した。後述する図４Ｂ、図６および図７についても同様である。図２から明らかなように、この蛍光光源装置は、光ファイバを他の光ファイバの軸対称位置に配置しないような位置関係としている。
【００１８】
上記の蛍光光源装置の一構成例を示すと、各々の光ファイバ１５Ａ〜１５Ｆは、コアの直径がφ４００μｍ、クラッドの外径がφ４４０μｍであるものである。集光レンズ２２は、レンズの直径がφ６０ｍｍ、焦点距離が９０ｍｍである球面レンズであり、凹面反射鏡２５は、焦点距離が５５ｍｍである放物面鏡である。コリメータレンズ２１は直径が１２ｍｍ、焦点距離が１５ｍｍであり、各々の光ファイバ１５Ａ〜１５Ｆにおける光出射端面ＦA 〜ＦF と、対応するコリメータレンズ２１の光入射面との光軸方向の離間距離が１１ｍｍである。例えば図３に示すように、光ファイバ１５Ａの光出射端面ＦA における中心軸ＯFAと、他の光ファイバ１５Ｄの光出射端面ＦD における中心軸ＯFDが、凹面反射鏡２５の光軸ＯM を含む、同一平面内に構成される配置において、光ファイバ１５Ａの光出射端面ＦA における中心軸ＯFA は、他の光ファイバ１５Ｄの光出射端面ＦD における中心軸ＯFDの、凹面反射鏡２５の光軸ＯM に対する対称軸ＯFdからの変位量ΔＸは６〜１２ｍｍである（光ファイバ１５Ｂと光ファイバ１５Ｅの位置関係、光ファイバ１５Ｃと光ファイバ１５Ｆの位置関係についても、同様である。）。変位量ΔＸはコリメータレンズ２１の直径ＤL （１２ｍｍ）に対し、ＤL ×１／２〜ＤL の大きさとした。変位量ΔＸがＤL ×１／２であることにより、励起光の正反射戻り光の光束を、変位量ΔＸが０である場合の半分以下の約４０％の大きさに低減することができる。一方、変位量ΔＸがＤL と同じ大きさであることにより、励起光の正反射戻り光を全く無い状態にすることができる。もちろん変位量ΔＸをコリメータレンズ２１の直径ＤL 以上の大きさとしてもかまわない。
【００１９】
上記の蛍光光源装置においては、複数の励起光源１０の各々からの励起光は、対応する光ファイバ１５Ａ〜１５Ｆによって導光される。各々の光ファイバ１５Ａ〜１５Ｆの光出射端面ＦA 〜ＦF から出射された励起光は、コリメータレンズ２１によって平行光とされて集光レンズ２２に入射され、集光レンズ２２によって集光されながら凹面反射鏡２５の励起光透過部２６を介して蛍光部材３０に照射される。励起光が蛍光部材３０に照射されることにより蛍光部材３０から発せられた蛍光（黄色光）は、凹面反射鏡２５によって反射されて平行光とされ、蛍光部材３０の励起に寄与しなかった、蛍光部材３０によって反射された励起光（青色光）が凹面反射鏡２５によって反射された光と混合（混色）されて白色光として照射される。
【００２０】
而して、蛍光部材３０に照射された励起光のうち、蛍光部材３０の表面によって正反射された光は、凹面反射鏡２５における励起光透過部２６を透過して戻り光（正反射戻り光）となり、集光レンズ２２およびコリメータレンズ２１を介して光ファイバ１５Ａ〜１５Ｆの光出射端面ＦA 〜ＦF に照射される。特に、蛍光部材３０による励起光の反射光に占める正反射光の割合は大きく、また正反射光はエネルギー密度が高いため、戻り光として無視できない。
２つの光ファイバ１５Ａ，１５Ｄに着目して図３を用いて具体的に説明すると、ΔＸが０又は、コリメータレンズ２１の直径に対し小さな値である場合、光ファイバ１５Ａから出射される励起光ＥA の蛍光部材３０による正反射光は、光ファイバ１５Ｄに対応する励起光透過部２６を透過して戻り光となり、集光レンズ２２およびコリメータレンズ２１によって、光ファイバ１５Ｄの光出射端面ＦD に集光される。このとき、光ファイバ１５Ａから出射される励起光ＥA の正反射戻り光ＲA が、全て光ファイバ１５Ｄのコアに入射されるのであれば、正反射戻り光ＲA による影響は少ないが、実際上は、例えば光学部材の配置誤差、蛍光部材３０の表面が鏡面でないこと、光の拡がり等の理由から、正反射戻り光ＲA は、光ファイバ１５Ｄのコアから外れた領域にも入射されることになる。
【００２１】
一方、このような構成の蛍光光源装置においては、各々の光ファイバ１５Ａ〜１５Ｆの光出射端面ＦA 〜ＦF を、対称的に配置することが考えられる。しかしながら、図４Ａおよび図４Ｂに示すように、各々の光ファイバ１５Ａ〜１５Ｆの光出射端面ＦA 〜ＦF が、他の光ファイバの光出射端面の、凹面反射鏡２５の光軸ＯM に対する軸対称位置Ｆa 〜Ｆf に配置された構成のものであれば、図５Ａに示すように、例えば光ファイバ１５Ａより出射された励起光ＥA の正反射戻り光ＲA の多くが集光レンズ２２を介してコリメータレンズ２１のレンズ面に入射され、コリメータレンズ２１から出射された正反射戻り光ＲA が光ファイバ１５Ｄの光出射端面ＦD に結像されることとなる。なお、図５Ａにおいては、コリメータレンズ２１のレンズ面に入射される正反射戻り光ＲA の光束に、便宜上、斜線が付してある。正反射戻り光ＲA の入射位置（斜線部）は、誤差等を考慮しコリメータレンズ２１の中心から少しずれた位置としたが、誤差等を考慮しなければ、コリメータレンズ２１の中心に戻ることになる。このように少しのずれだとずれが無い場合と同様正反射戻り光ＲA の全てがコリメータレンズ２１に入射し集光されて光ファイバ１５Ｄの光出射端面ＦD まで戻ってしまうことになる。
【００２２】
然るに、上記構成の蛍光光源装置においては、凹面反射鏡２５の光軸ＯM 方向から見たとき、６つの光ファイバ１５Ａ〜１５Ｆの各々の光出射端面ＦA 〜ＦF の各々が、凹面反射鏡２５の光軸ＯM に対する軸対称位置Ｆa 〜Ｆf 以外の位置、例えば図２に示すような位置に配置されている。光出射端面ＦA 〜ＦF の位置とその軸対称位置Ｆa 〜Ｆf は互いに重ならないような配置となる。このような構成とされていることにより、図５Ｂに示すように、例えば、光ファイバ１５Ａの励起光ＥA の蛍光部材３０による正反射戻り光ＲA を大幅に低減することができる。すなわち、光ファイバ１５Ａより出射される励起光ＥA の蛍光部材３０による正反射戻り光ＲA が、集光レンズ２２およびコリメータレンズ２１によって、光ファイバ１５Ｄの光出射端面ＦD に集光されることを防止、あるいは、光ファイバ１５Ｄの光出射端面ＦD に集光される正反射戻り光ＲA 、特にコア以外の領域に入射される正反射戻り光ＲA による影響を実質的に問題がない程度に小さく低減することができる。光ファイバ１５Ｄより出射される励起光ＥD の蛍光部材３０による正反射戻り光およびその他の光ファイバより出射される励起光の蛍光部材３０による正反射戻り光についても同様である。なお、図３および図５Ｂにおいては、説明上、実質的に問題のない程度の正反射戻り光ＲA がコリメータレンズ２１に入射される例を示しているが、光ファイバ１５Ａの励起光ＥA の蛍光部材３０による正反射戻り光ＲA が光ファイバ１５Ｄの光出射端面ＦD に全く到達しない構成とすることができる。このような構成は、光ファイバ１５Ａの光出射端面ＦA における中心軸ＯFA の、凹面反射鏡２５の光軸ＯM に対する軸対称位置をＯFa としたとき、光ファイバ１５Ｄの光出射端面ＦD における中心軸ＯFD の、軸対称位置ＯFa からの変位量ΔＸの大きさを、コリメータレンズ２１の直径と同じ大きさ、正確にはレンズ押え等により遮光される周囲部分を除いた直径と同じ大きさかそれ以上の大きさに調整することにより実現することができる。
【００２３】
従って、上記構成の蛍光光源装置によれば、基本的には、複数の励起光源１０の各々からの励起光が光ファイバ１５Ａ〜１５Ｆによって導光されて蛍光部材３０に集中して照射されることにより、蛍光部材３０を効率よく励起させて発光させることができる。しかも、励起光の正反射戻り光によって光ファイバ１５Ａ〜１５Ｆが損傷することを確実に防止することができるので、励起光の出力が低下することを回避することができる。これにより、蛍光部材３０を効率よく励起させて発光させることができ、安定した光出力を長期にわたって安定して得ることができる。
【００２４】
以上、本発明の実施形態について説明したが、本発明は上記の実施形態に限定されるものではなく、種々の変更を加えることができる。
例えば、複数の光ファイバの各々の光出射端面の配置パターンは、複数の光ファイバの各々の光出射端面が、同一円周上において周方向に互いに離間した位置に配置された構成とされていてもよい。
【００２５】
例えば６つの光ファイバの配置パターンを例に挙げて説明すると、６つの光ファイバの光出射端面の各々が、凹面反射鏡の光軸を中心とする仮想円の円周上において、下記条件（α）を満たす位置に、配置された構成とすることができる。このような構成のものにおいても、凹面反射鏡の光軸方向から見たとき、各々の光ファイバの光出射端面の位置が、他の光ファイバの光出射端面の、凹面反射鏡の光軸に対する軸対称位置以外の位置に配置された状態を実現することができる。
条件（α）：一の光ファイバにおける光出射端面の位置と、当該光ファイバと互いに隣接しない他の２つの光ファイバの各々の光出射端面の位置が仮想の同一円周上に配置される構成において、円周上の凹面反射鏡の光軸に対する軸対称位置の一方に１つの光ファイバが位置されていること。
【００２６】
このような光ファイバの配置パターンを有する蛍光光源装置の一構成例を図６に示す。この例においては、凹面反射鏡２５の光軸ＯM を中心とする仮想円ＶC の円周上において、互いに隣接しない３つの光ファイバ１５Ａ，１５Ｃ，１５Ｅよりなる一方の光ファイバ群における各々の光ファイバ１５Ａ，１５Ｃ，１５Ｅの光出射端面ＦA ，ＦC ，ＦE が周方向に互いに例えば等間隔毎に離間した位置に配置されている。また、互いに隣接しない他の３つの光ファイバ１５Ｂ，１５Ｄ，１５Ｆよりなる他方の光ファイバ群における各々の光ファイバ１５Ｂ，１５Ｄ，１５Ｆの光出射端面ＦB ，ＦD ，ＦF が周方向に互いに例えば等間隔毎に離間した位置に配置されている。そして、例えば光ファイバ１５Ａの光出射端面ＦA の位置と、一方の光ファイバ群に属する他の２つの光ファイバ１５Ｃ，１５Ｅの一方のもの（この例では、光ファイバ１５Ｅ）の光出射端面ＦE の位置の、凹面反射鏡２５の光軸ＯM に対する軸対称位置Ｆe との間の円周領域に、光ファイバ１５Ｂの光出射端面ＦB が位置されている。同様に、光ファイバ１５Ｃの光出射端面ＦC の位置と、光ファイバ１５Ａの光出射端面ＦA の位置の、凹面反射鏡２５の光軸ＯM に対する軸対称位置Ｆa との間の円周領域に、光ファイバ１５Ｄの光出射端面ＦD が位置されている。また、光ファイバ１５Ｅの光出射端面ＦE の位置と、光ファイバ１５Ｃの光出射端面ＦC の位置の、凹面反射鏡２５の光軸ＯM に対する軸対称位置Ｆc との間の円周領域に、光ファイバ１５Ｆの光出射端面ＦF が位置されている。この例においては、光ファイバ１５Ａ〜１５Ｆの光出射端面ＦA 〜ＦF の位置、並びに、これらの凹面反射鏡２５の光軸ＯM に対する軸対称位置Ｆa 〜Ｆf が、仮想円ＶC の円周上において周方向に互いに例えば等間隔毎に離間して並んだ状態が示されているが、互いに周方向に異なる間隔で離間していてもよい。
【００２７】
また、例えば、６つの光ファイバの光出射端面が、凹面反射鏡の光軸に対して変位した位置を中心とする仮想円の円周上において、互いに周方向に離間して配置された構成とされていてもよい。このような構成のものにおいても、凹面反射鏡の光軸方向から見たとき、各々の光ファイバの光出射端面の位置が、他の光ファイバの光出射端面の、凹面反射鏡の光軸に対する軸対称位置以外の位置に配置された状態を実現することができる。このような光ファイバの配置パターンを有する蛍光光源装置の一構成例を図７に示す。
この例においては、６つの光ファイバ１５Ａ〜１５Ｆの光出射端面ＦA 〜ＦF の各々が、凹面反射鏡２５の光軸ＯM に対して変位した位置を中心とする仮想円Ｖc の円周上において、互いに周方向に例えば等間隔毎に離間して配置されている。
なお、６つの光ファイバの光出射端面が、凹面反射鏡の光軸に対して変位した位置を中心とする仮想円の円周上に位置される構成のものにおいては、６つの光ファイバの光出射端面が、互いに周方向に異なる間隔で離間した位置に配置されていてもよい。
【００２８】
以上のような光ファイバの配置パターンを有する蛍光光源装置（図６、図７）においても、図１および図２に示す蛍光光源装置と同様の効果を得ることができる。
【００２９】
本発明の蛍光光源装置においては、複数の光ファイバの各々の光出射端面が同一平面内に位置された構成とされている必要はない。
さらにまた、本発明の蛍光光源装置においては、励起光源（光ファイバ）の数は、特に限定されるものではない。
さらにまた、一の励起光源が複数のレーザ光源を具えた構成とされていてもよく、このような場合には、光ファイバとして、複数のレーザ光源の各々から出射されるレーザ光をレンズで１本の光ファイバに集光して用いてもよいし、複数のレーザ光源の各々に対応する複数のファイバ素線が束ねられてなるバンドルファイバを用いてもよい。
【符号の説明】
【００３０】
１０  励起光源
１１  レーザ光源
１２  ＬＤ素子
１３  結合レンズ
１５Ａ〜１５Ｆ  光ファイバ
２０  集光光学系
２１  コリメータレンズ
２２  集光レンズ
２５  凹面反射鏡
２６  励起光透過部
３０  蛍光部材
ＥA ，ＥD   励起光
ＦA 〜ＦF   光ファイバの光出射端面
Ｆa 〜Ｆf   光ファイバの光出射端面の、凹面反射鏡の光軸に対する軸対称位置
ＯL   集光レンズの光軸
ＯM   凹面反射鏡の光軸
ＲA   正反射戻り光（励起光の蛍光部材による正反射光）
ＶC ，ＶC1，ＶC2  仮想円
【図１】
2016092042.tif 000003
【図２】
2016092042.tif 000004
【図３】
2016092042.tif 000005
【図４Ａ】
2016092042.tif 000006
【図４Ｂ】
2016092042.tif 000007
【図５Ａ】
2016092042.tif 000008
【図５Ｂ】
2016092042.tif 000009
【図６】
2016092042.tif 000010
【図７】
2016092042.tif 000011